(57)【要約】【課題】ホストコンピューターがメディアの取り外し可能なディスク装置内に、メディアが挿入されているか判断するために発行するコマンドのための電力消費を低減すること。【解決手段】メディア検出回路３２によってトレイ３４にメディア３６が挿入されていない状態が検出されている期間においては、〜に対してパワーダウンモードに遷移するようにホストコンピューター１０に対して要求して、ディスク装置内にメディアが無い状態でのホストコンピューター１０からのディスク装置へのアクセスを停止もしくは軽減する。【選択図】      図２
2004355143.tif 000002
【特許請求の範囲】
【請求項１】
ホストコンピューターに接続され、取り外し可能なメディアを装着するディスク装置において、
上記ディスク装置内のメディアの有無を検出するメディア検出回路と、
上記メディア検出回路においてメディアがディスク装置内に存在しないと判断された場合に、上記ホストコンピューターに対して該ホストコンピューターがパワーダウンモードへ遷移するように要求命令を出力するパワー制御要求回路と、
を備えたことを特徴とするディスク装置。
【請求項２】
請求項１記載のディスク装置において、
上記パワー制御要求回路は、
上記メディア検出回路においてメディアがディスク装置内に存在しない状態からメディアが存在する状態への遷移が検出された場合に、上記ホストコンピューターに対して該ホストコンピューターがパワーダウンモードからパワーオンモードへ遷移するように要求命令を出力する、
ことを特徴とするディスク装置。
【請求項３】
ホストコンピューターにケーブルを介して接続され、取り外し可能なメディアを装着するディスク装置において、
上記ディスク装置内のメディアの有無を検出するメディア検出回路と、
上記メディア検出回路においてメディアがディスク装置内に存在しないと判断された場合に、上記ホストコンピューターとケーブルとの電気的な接続が切断された状態にするケーブル接続制御回路と、
を備えたことを特徴とするディスク装置。
【請求項４】
請求項３記載のディスク装置において、
上記ケーブル接続制御回路は、
上記メディア検出回路においてメディアがディスク装置内に存在しない状態からメディアが存在する状態への遷移が検出された場合に、上記ホストコンピューターと上記ケーブルとの接続状態を電気的に接続されていない状態から電気的に接続された状態にする、
ことを特徴とするディスク装置。
【請求項５】
請求項１ないし４のいずれかに記載のディスク装置において、
上記メディアを装着するトレイのオープン／クローズを検出するトレイ状態検出回路を備え、
上記メディア検出回路による上記ディスク装置内におけるメディアの検出を、上記トレイ状態検出回路により上記トレイがオープンされた後、クローズされたことを示すトリガ信号が出力された時のみ行う、
ことを特徴とするディスク装置。
【発明の詳細な説明】
【０００１】
【発明の属する技術分野】
本発明はディスク装置に関し、特にホストコンピューターに接続される、メディアが取り外し可能なディスクドライブにおける電力の削減を図ったものに関するものである。
【０００２】
【従来の技術】
パーソナルコンピュータにおいて、ホストコンピューターと、ＣＤ−ＲＯＭドライブ、ＤＶＤ−ＲＯＭドライブなどの、取り外し可能なメディアを扱う記憶装置とを接続するためのインターフェースとして、ＡＴＡ／ＡＴＡＰＩ（ＡＴ  Ａｔｔａｃｈｍｅｎｔ／ＡＴ  Ａｔｔａｃｈｍｅｎｔ  Ｐａｃｋｅｔ  Ｉｎｔｅｒｆａｃｅ）、ＳｅｒｉａｌＡＴＡ、ＵＳＢ、ＩＥＥＥ１３９４規格などが知られている。
【０００３】
ＡＴＡ／ＡＴＡＰＩ規格において、ホストコンピューターは接続されるディスク装置にメディアが入っているかどうかの判断をディスク装置に対してＴＥＳＴＵＮＩＴ  ＲＥＡＤＹ等のコマンドを発行することにより、行っている。ディスク装置内にメディアが検出できた場合、ディスクの情報の読み出しやディスクへのデータの読み書きなどを行うことができる。
【０００４】
【特許文献１】
特開平２−１７６９２１号公報
【０００５】
【発明が解決しようとする課題】
従来のディスク装置は以上のように構成されており、従来の規格では、ディスク装置にメディアが入っていない状態でも常に一定間隔でホストコンピューターはディスク装置内のメディアの有無をチェックする必要があり、ディスク装置にメディアが入っていない、すなわち、ディスク装置がアクセスできる状態でない場合においても、ホストコンピューターとディスク装置とは定期的に通信を行い、無駄な電力を消費するという問題点があった。
【０００６】
本発明は以上のような問題点を解消するためになされたもので、ディスク装置にメディアが入っていない状態におけるホストコンピューターの消費電力の浪費を抑止することのできるディスク装置を提供することを目的とする。
【０００７】
【課題を解決するための手段】
本発明の請求項１にかかるディスク装置は、ホストコンピューターに接続され、取り外し可能なメディアを装着するディスク装置において、上記ディスク装置内のメディアの有無を検出するメディア検出回路と、上記メディア検出回路においてメディアがディスク装置内に存在しないと判断された場合に、上記ホストコンピューターに対して該ホストコンピューターがパワーダウンモードへ遷移するように要求命令を出力するパワー制御要求回路と、を備えたものである。
【０００８】
また、本発明の請求項２にかかるディスク装置は、請求項１記載のディスク装置において、上記パワー制御要求回路は、上記メディア検出回路においてメディアがディスク装置内に存在しない状態からメディアが存在する状態への遷移が検出された場合に、上記ホストコンピューターに対して該ホストコンピューターがパワーダウンモードからパワーオンモードへ遷移するように要求命令を出力するものである。
【０００９】
また、本発明の請求項３にかかるディスク装置は、ホストコンピューターにケーブルを介して接続され、取り外し可能なメディアを装着するディスク装置において、上記ディスク装置内のメディアの有無を検出するメディア検出回路と、上記メディア検出回路においてメディアがディスク装置内に存在しないと判断された場合に、上記ホストコンピューターとケーブルとの電気的な接続が切断された状態にするケーブル接続制御回路と、を備えたものである。
【００１０】
また、本発明の請求項４にかかるディスク装置は、請求項３記載のディスク装置において、上記ケーブル接続制御回路は、上記メディア検出回路においてメディアがディスク装置内に存在しない状態からメディアが存在する状態への遷移が検出された場合に、上記ホストコンピューターと上記ケーブルとの接続状態を電気的に接続されていない状態から電気的に接続された状態にするものである。
【００１１】
また、本発明の請求項５にかかるディスク装置は、請求項１ないし４のいずれかに記載のディスク装置において、上記メディアを装着するトレイのオープン／クローズを検出するトレイ状態検出回路を備え、上記メディア検出回路による上記ディスク装置内におけるメディアの検出を、上記トレイ状態検出回路により上記トレイがオープンされた後、クローズされたことを示すトリガ信号が出力された時のみ行うものである。
【００１２】
【発明の実施の形態】
（実施の形態１）
以下、本発明の実施の形態１にかかるディスク装置について、図１と図２と図４を用いて説明する。
図１は、本発明の実施の形態１に係るディスク装置を利用したシステムの構成例を示している。図１において、１０はホストコンピューター、３０はＣＤ−ＲＯＭドライブ、ＤＶＤ−ＲＯＭドライブなどのメディアの取り外しが可能なディスク装置、２０はホストコンピューターとディスク装置を物理的に接続するケーブルである。
【００１３】
図２は、図１中のディスク装置３０の詳細な構成例を示している。図２のディスク装置３０は、パワーモード遷移要求回路３１と、メディア検出回路３２と、トレイ状態検出回路３５と、トレイ３４と、ピックアップ３３とを備えている。
【００１４】
上記トレイ３５は開閉することにより、ディスク装置３０内にメディア３６を挿入するための容器である。ピックアップ３３は、上記トレイ３４に挿入されたメディア３６にレーザーを照射してその反射光の信号を検出する回路である。
【００１５】
メディア検出回路３２は、ピックアップ３３からの出力に応じてディスク装置３０内にＣＤ−ＲＯＭ、ＤＶＤ−ＲＯＭ等のメディア３６が挿入されているかどうかを検出する回路である。パワーモード遷移要求回路３１は、上記メディア検出回路３２からの出力に応じて、ホストコンピューター１０に対してパワーモードの遷移を要求するための回路であり、パワー制御要求回路を実現するものとなっている。トレイ状態検出回路３５はディスク装置３０内にメディア３６を挿入するためのトレイ３４の開閉状態を検出するための回路である。
【００１６】
以上のように構成されたディスク装置３０について、以下その動作を説明する。
メディア３６からの反射信号３８はピックアップ３３から照射されたレーザーに対する反射信号である。この反射信号３８によりメディア検出回路３２はトレイ３５にメディア３６が挿入されているか否かを検出する。メディア検出回路３２による検出結果は出力として後段のパワーモード遷移要求回路３１に入力される。
【００１７】
図４において、メディア検出回路３２の出力である反射信号３８（ＭＥＤＩＡ＿ＤＥＴ）は、ハイレベルの時にメディア３６がトレイ３４内に挿入されていることを示す。また、ＭＥＤＩＡ＿ＤＥＴがローレベルの時はメディア３６がトレイ３４内に挿入されていないことを示す。すなわち、図４のＭＥＤＩＡ＿ＤＥＴがハイレベルからローレベルに遷移した時、メディア３６がトレイ３４から取り出されたことを意味する。
【００１８】
ＭＥＤＩＡ＿ＤＥＴがハイレベルからローレベルに遷移したことをパワーモード遷移要求回路３１で検出し、ホストコンピューター１０に対してパワーダウンモードへの遷移を要求する。
【００１９】
ホストコンピューター１０に対してパワーダウンモードへの遷移を要求する手段としては、例えば、ＳｅｒｉａｌＡＴＡ規格で知られているＰＭＲＥＱ＿ＰもしくはＰＭＲＥＱ＿Ｓと呼ばれるプリミティブとＰＭＡＣＫもしくはＰＭＮＡＫと呼ばれるプリミティブのハンドシェイクにより行うことができる。これにより、ディスク装置３０内にメディア３６が無い状態でのホストコンピューター１０からのディスク装置３０に対するアクセスを停止もしくは軽減し、消費電力の浪費の抑制を実現している。
一方、図４のＭＥＤＩＡ＿ＤＥＴがローレベルからハイレベルに遷移した時、メディア３６がトレイ３４に挿入されたことを意味する。
【００２０】
ＭＥＤＩＡ＿ＤＥＴがローレベルからハイレベルに遷移したことをパワーモード遷移要求回路３１で検出し、ホストコンピューター１０に対してパワーオンモードへの遷移を要求する。
【００２１】
ここでメディア検出回路３２によるメディア３６の検出タイミングを、図５に示すように、トレイ状態検出回路３５によりトレイ３４が開き、閉じた後に出力されるトリガ信号３９がＨｉｇｈの時にのみ比較し、メディア検出回路３２においてトレイ３４にメディア３６が挿入されていないことを検出すると、次にトレイ状態検出回路３５よりトリガ信号３９が出力されるまでピックアップ３３、およびメディア検出回路３２の動作を停止することによりコンピューターシステムの消費電力を更に削減することが可能となる。
【００２２】
このように本発明の実施の形態１にかかるディスク装置によれば、メディア検出回路３２によってトレイ３４にメディア３６が挿入されていない状態が検出されている期間においては、ホストコンピューター１０に対して、該ホストコンピュータ１０がパワーダウンモードに遷移するように要求するようにしたので、メディア３６が存在しない期間におけるホストコンピューター１０の消費電力を低減することができる。
【００２３】
また、トレイの開閉を検出するトレイ状態検出回路３５の出力するトリガ信号３９を用いて、トレイ３４の操作が行われるまではピックアップ３３、およびメディア検出回路３２の動作を停止することにより、さらに消費電力の低減を図ることができる。
【００２４】
（実施の形態２）
次に本発明における実施の形態２にかかるディスク装置について、図１と図３と図４を用いて説明する。
図３は、本発明の実施の形態２に係るディスク装置を構成するデータ転送回路の構成を示している。図３において、図１と同一符号は同一、または相当部分を示し、実施の形態１の構成と異なるのは、パワーモード遷移要求回路３１に代えて、ケーブル接続制御回路３７を設けている点である。このケーブル接続制御回路３７は、ホストコンピューター１０とのケーブル２０の接続状態を電気的に制御をする回路である。
【００２５】
以下、その動作を説明する。
反射信号３８はピックアップ３３から照射されたレーザーに対する反射信号である。この反射信号３８によりメディア検出回路３２は、トレイ３４にメディア３６が挿入されているか否かを検出する。メディア検出回路３２による検出結果は出力として後段のケーブル接続制御回路３７に入力される。
【００２６】
図４において、メディア検出回路３２の出力である反射信号（ＭＥＤＩＡ＿ＤＥＴ）は、ハイレベルの時にメディア３６がトレイ３４内に挿入されていることを示す。また、ＭＥＤＩＡ＿ＤＥＴがローレベルの時はメディア３６がトレイ３４内に挿入されていないことを示す。すなわち、図４のＭＥＤＩＡ＿ＤＥＴがハイレベルからローレベルに遷移した時、メディア３６がトレイ３４から取り出されたことを意味する。
【００２７】
ＭＥＤＩＡ＿ＤＥＴがハイレベルからローレベルに遷移したことをケーブル接続制御回路３７で検出し、ホストコンピューター１０に対して接続されている信号線２０をハイインピーダンス状態にすることにより、物理的には接続されているケーブルをホストコンピューター１０からは擬似的に接続されていないようにする。
【００２８】
一方、図４のＭＥＤＩＡ＿ＤＥＴがローレベルからハイレベルに遷移した時、メディアがトレイ３４に挿入されたことを意味する。
【００２９】
ＭＥＤＩＡ＿ＤＥＴがローレベルからハイレベルに遷移したことをケーブル接続制御回路３７で検出し、信号線２０のハイインピーダンス状態を解除することで、ホストコンピューター１０に対してケーブルが接続されたようにする。
【００３０】
ここでメディア検出回路３２によるメディア３６の検出タイミングを、図５に示すように、トレイ状態検出回路３５によりトレイ３４が開き、閉じた後に出力されるトリガ信号３９がＨｉｇｈの時にのみ比較し、メディア検出回路３２においてトレイ３４にメディア３６が挿入されていないことを検出すると、次にトレイ状態検出回路３５よりトリガ信号３９が出力されるまでピックアップ３３、およびメディア検出回路３２の動作を停止することによりコンピューターシステムの消費電力を更に削減することが可能となる。
【００３１】
このように本発明の実施の形態２にかかるディスク装置によれば、メディア検出回路３２によってトレイ３４にメディア３６が挿入されていない状態が検出されている期間においては、信号線２０のハイインピーダンス状態を解除することで、ホストコンピューター１０に対してケーブルが接続されたように見せかけるようにしたので、メディア３６が存在しない期間におけるホストコンピューター１０の消費電力を低減することができる。
【００３２】
また、トレイの開閉を検出するトレイ状態検出回路３５の出力するトリガ信号３９を用いて、トレイ３４の操作が行われるまではピックアップ３３、およびメディア検出回路３２の動作を停止することにより、さらに消費電力の低減を図ることができる。
【００３３】
【発明の効果】
以上のように、本発明の請求項１にかかるディスク装置によれば、ホストコンピューターに接続され、取り外し可能なメディアを装着するディスク装置において、上記ディスク装置内のメディアの有無を検出するメディア検出回路と、上記メディア検出回路においてメディアがディスク装置内に存在しないと判断された場合に、上記ホストコンピューターに対して該ホストコンピューターがパワーダウンモードへ遷移するように要求命令を出力するパワー制御要求回路と、を備えたものとしたので、ディスク装置内にメディアが存在しない期間は、ホストコンピューターはディスク装置にメディアが挿入されているかどうかを常に監視する必要がなくなり、ディスク装置内にメディアが無い状態での消費電力の浪費を抑制することができるという効果がある。
【００３４】
また、本発明の請求項２にかかるディスク装置によれば、請求項１記載のディスク装置において、上記パワー制御要求回路は、上記メディア検出回路においてメディアがディスク装置内に存在しない状態からメディアが存在する状態への遷移が検出された場合に、上記ホストコンピューターに対して該ホストコンピューターがパワーダウンモードからパワーオンモードへ遷移するように要求命令を出力するものとしたので、ホストコンピューターはディスク装置にメディアが挿入されているかどうかを常に監視する必要がなくなり、ディスク装置内にメディアが無い状態での消費電力の浪費を抑制することができ、メディア挿入後には再び元の状態に戻ることができるという効果があるある。
【００３５】
また、本発明の請求項３にかかるディスク装置によれば、ホストコンピューターにケーブルを介して接続され、取り外し可能なメディアを装着するディスク装置において、上記ディスク装置内のメディアの有無を検出するメディア検出回路と、上記メディア検出回路においてメディアがディスク装置内に存在しないと判断された場合に、上記ホストコンピューターとケーブルとの電気的な接続が切断された状態にするケーブル接続制御回路と、を備えたものとしたので、ディスク装置内にメディアが存在しない期間は、ホストコンピューターとディスク装置との電気的な接続が遮断され、ホストコンピューターはディスク装置にメディアが挿入されているかどうかを常に監視する必要がなくなり、ディスク装置内にメディアが無い状態での消費電力の浪費を抑制することができるという効果がある。
【００３６】
また、本発明の請求項４にかかるディスク装置によれば、請求項３記載のディスク装置において、上記ケーブル接続制御回路は、上記メディア検出回路においてメディアがディスク装置内に存在しない状態からメディアが存在する状態への遷移が検出された場合に、上記ホストコンピューターと上記ケーブルとの接続状態を電気的に接続されていない状態から電気的に接続された状態にするものとしたので、ホストコンピューターはディスク装置にメディアが挿入されているかどうかを常に監視する必要がなくなり、ディスク装置内にメディアが無い状態での消費電力の浪費を抑制することができ、メディア挿入後には再び元の状態に戻ることができるという効果がある。
【００３７】
また、本発明の請求項５にかかるディスク装置によれば、請求項１ないし４のいずれかに記載のディスク装置において、上記メディアを装着するトレイのオープン／クローズを検出するトレイ状態検出回路を備え、上記メディア検出回路による上記ディスク装置内におけるメディアの検出を、上記トレイ状態検出回路により上記トレイがオープンされた後、クローズされたことを示すトリガ信号が出力された時のみ行うものとしたので、トレイが操作されるまでは、光ピックアップや上記メディア検出回路への電源の供給も停止することができ、より消費電力の浪費を抑制することができるという効果がある。
【図面の簡単な説明】
【図１】本発明の実施の形態１に係るディスク装置を利用したシステムの構成を示す図である。
【図２】上記実施の形態１によるディスク装置の構成図である。
【図３】本発明の実施の形態２によるディスク装置の構成図である。
【図４】図２および図３で使用されるメディア検出回路の信号を説明するための図である。
【図５】図２および図３で使用されているトレイ状態検出回路の信号を説明するための図である。
【符号の説明】
１０  ホストコンピューター
２０  ケーブル
３０  ディスク装置
３１  パワーモード遷移要求回路
３２  メディア検出回路
３３  ピックアップ
３４  トレイ
３５  トレイ状態検出回路
３６  メディア
３７  ケーブル接続制御回路
３８  メディアからの反射信号
３９  トレイ状態のトリガ信号
４０  メディア検出回路の出力信号
【図１】
2004355143.tif 000003
【図２】
2004355143.tif 000004
【図３】
2004355143.tif 000005
【図４】
2004355143.tif 000006
【図５】
2004355143.tif 000007